(57)【要約】【課題】折畳み型携帯無線端末の筐体の背面表示部に、使用形態に応じて、日付時刻、着信、メール着信、伝言メモ、留守番電話、状態表示等文字情報の表示がなされたが、この文字情報だけの場合には、発信者を特定しにくいことがある。このため、瞬時に発信者を判断できる表示形式として、画像によって発信者を判断できる機能を提供することにある。【解決手段】折畳み型携帯無線端末であって、その筐体の背面側の表示部に、発信者が画像データを添付した場合にはその画像を、画像データがない場合には発信元に関連付けて発信先が設定した画像を表示することにより、データ受信時、着信時に、容易に発信元がわかる。【選択図】　　　図１
2004064295.tif 000002
【特許請求の範囲】
【請求項１】
互いに開閉可能な第１の筐体及び第２の筐体を含み、第１の表示部が開いた端末の正面側に、第２の表示部がいずれかの筐体の背面側に設置されている折畳み型携帯無線端末において、着信時またはデータ受信時に、前記第２の表示部に発信側を示す画像データを出力することを特徴とした携帯無線端末。
【請求項２】
前記第２の表示器は、前記発信側から受信した画像表示用コマンドの指示により、受信したデータに含まれる前記発信側を示す画像データを表示することを特徴とした前記請求項１記載の携帯無線端末。
【請求項３】
前記第２の表示部の内容が、筐体を開いた時に開閉検出機能により開閉を認識して、前記第２の表示器から前記第１の表示部に前記画像データの表示を移行させる手段を持つ前記請求項１または２記載の携帯無線端末。
【請求項４】
第１の筐体及び第２の筐体と、それらを結合するヒンジ部と、前記第１の筐体及び第２の筐体の前記ヒンジ部を介しての開閉を検出する開閉検出器と、前記第１、第２の筐体のいずれかの背面側に設置されている表示部と、受信データを一時的に保存する受信データ記憶部と、発信側に応じた画像データを記憶する記憶回路と、発信側からの着信時またはデータ受信時に前記第１の筐体及び第２の筐体が閉じているとき、前記発呼側から受信された発信側情報に応じ、画像データを前記受信データ、もしくは前記記憶回路内から検索し、前記表示部へ表示するよう制御する制御手段とを含む携帯無線端末。
【請求項５】
第１の筐体及び第２の筐体と、それらを結合するヒンジ部と、前記第１の筐体及び第２の筐体の前記ヒンジ部を介しての開閉を検出する開閉検出器と、前記第１及び第２の筐体を閉じても見える位置に設置されている表示部と、受信データを一時的に保存する受信データ記憶部と、発信側に応じた画像データを記憶する記憶回路と、発信側からの着信時またはデータ受信時に前記第１の筐体及び第２の筐体が閉じているとき、前記発呼側から受信された発信側情報に応じ、画像データを前記受信データ、もしくは前記記憶回路内から検索し、前記表示部へ表示するよう制御する制御手段とを含む携帯無線端末。
【請求項６】
前記制御手段は、前記発信側から受信される画像表示用コマンドの指示により、受信したデータに含まれる前記画像データを前記表示部に表示させることを特徴とした前記請求項４または５記載の携帯無線端末。
【請求項７】
前記制御手段は、前記着信時またはデータ受信時に前記発信側から前記画像表示用コマンドが受信されない場合、前記発信側情報に応じ、画像データを前記記憶回路内から検索し、前記表示部へ表示するよう制御することを特徴とした前記請求項４、５および６のいずれか１つに記載の携帯無線端末。
【請求項８】
さらに、前記第１及び第２の筐体を開いたときに前記第１または第２の筐体の正面側に位置する正面表示部を含み、筐体を開いた時に、前記開閉検出器の出力により開閉を認識して、前記正面表示部に表示内容を移行させる手段を持つ前記請求項４乃至７のいずれか１つに記載の携帯無線端末。
【請求項９】
発信側からの前記画像表示用コマンドには、前記表示器のバックライトの発光色、点滅の早さ、文字情報、着信音、およびバイブレータの操作にうちの少なくとも一つを制御する指示情報が含まれていることを特徴とした前記請求項４乃至８のいずれか１つに記載の携帯無線端末。
【発明の詳細な説明】
【０００１】
【発明の属する利用分野】
本発明は背面に表示部を備える折畳み型携帯無線端末に関し、特に着信、データ受信時、画像を表示部に表示を行うことによって、発信者情報、データ内容の確認を容易に行える機能に関する。
【０００２】
【従来の技術】
近年、主流となっている折畳み型携帯無線端末、時に折畳み型携帯電話機のほとんどの機種に折畳んだ状態で視認可能な液晶表示部として、背面表示部を備えている。ここで背面とは折畳み型携帯電話機の上部筐体と下部筐体とをヒンジ部を介して閉じたときに上部筐体外側に位置する面である。ちなみに正面とは通常、折畳み型携帯電話機を開いた時に見える正面位置の面である。
【０００３】
特開２００１−０７４８９１には折畳み型携帯無線端末の使用形態に応じて、日付時刻、着信、メール着信、伝言メモ、留守番電話、状態表示等をこの端末の背面液晶表示器に表示させることで、情報を確認するために折畳み型携帯無線端末を開くという手間を軽減させる手段について記載されている。
【０００４】
また、発信者情報も、電話番号、メールアドレス、発信者氏名など、文字情報にして表示、もしくは、バックライトの色によって識別が可能となっている。
【０００５】
【発明が解決しようとする課題】
しかし、上述した従来技術では文字情報で表示する場合、大きさに限度がある背面液晶表示器においては、文字の大きさを小さくする必要があり、ひと目で確認することは難しく、またバックライトの発光色別にグループ分け表示ができても、表示できる情報量には限度があった。
【０００６】
特に、文字情報による判断では、老人や小さな文字がみづらい人には視認することは困難であった。
【０００７】
【課題を解決するための手段】
そのため、本発明では、折畳み型携帯無線端末で、着信、メール受信した時に、背面表示に表示させる内容を、文字情報、バックライト発光色数に限らず、画像によって受信者に通知させる手段を提供する。
【０００８】
具体的には本発明の折畳み型携帯無線端末は、第１の筐体及び第２の筐体がヒンジ部を介して開閉可能に結合した携帯無線端末において、発信者側が送信した画像データ、或いは受信側が予め発信側情報に基づいて関連付けられた画像データを、折畳み状態の場合は背面あるいは閉じたときに見えない位置にある表示部に表示するようにしたことを特徴とする。
【０００９】
また、本発明の折畳み型携帯無線端末は、第１の筐体及び第２の筐体と、それらを結合するヒンジ部と、第１の筐体及び第２の筐体の前記ヒンジ部を介しての開閉を検出する開閉検出器と、第１、第２の筐体のいずれかの背面側、あるいは閉じたときに見えない位置に設置されている表示部と、受信データを一時的に保存する受信データ記憶部と、発信側に応じた画像データを記憶する記憶回路と、発信側からの着信時またはデータ受信時に前記第１の筐体及び第２の筐体が閉じているとき、発呼側から受信された発信側情報に応じ、画像データを前記受信データ、もしくは前記記憶回路内から検索し、表示部へ表示するよう制御する制御手段とを含む。
【００１０】
本発明では、画像表示用コマンド、このコマンドに対応した画像表示データ、もしくは受信端末内の画像記憶部（記憶回路）に記憶された発信者対応用画像データを受信側で確認し、画像表示を行うために、そのコマンドの有無や、画像表示データの有無を制御手段により確認する。
【００１１】
これにより、発信側が受信側に対して、画像表示用コマンド、及びその画像表示データを送信することで、着信、データ送受信時に受信側端末にその時の状況、条件に応じた画像を表示させる。
【００１２】
こうして、発信者が端末に表示させたい画像を通信時に含ませる、或いは、その画像データがない場合には、ユーザ側で予め設定してある発信者ごとに設定した画像を表示させることにより、着信、受信した時に、背面液晶表示部に表示された画像によって、発信者情報、データ情報を瞬時に判断することができる。
【００１３】
【発明の実施の形態】
以下、本発明の実施の形態について図面を用いて詳細に説明する。
【００１４】
本発明の実施の形態の折畳み型携帯無線端末は、折畳み型携帯電話機である。
【００１５】
図１は、本発明の一実施の形態における折畳み型携帯電話機の電気回路系を示すブロック図である。また　図２（ａ）は、本発明の実施の形態における折畳み型携帯電話機の閉じた状態での側面図、図２（ｂ）は同じく開いた状態での側面図、図２（ｃ）は図２（ｂ）と同じく開いた状態の正面図、図２（ｄ）は図２（ｃ）と同じく、開いた状態の背面図である。
【００１６】
本発明の実施の形態の折畳み型携帯電話機は、図２（ａ）〜（ｄ）に示すように、メインの表示部として開いたときに見える正面側に第１の表示部４を有する上方の第１の筐体２と正面側にキーボード８を有する下方の第２の筐体３とを有する二つの筐体と、アンテナ１０とを含んで構成されており、第１、第２の筐体２、３は回転ヒンジ７で連結し、そのヒンジ中心を中心に回動可能に結合されている。そして、第１の筐体２、第２の筐体３のいずれかの背面には、第２の表示部５がある。
【００１７】
図１を参照すると、携帯電話機１は、アンテナ１０と、ＲＦ処理部１１と、ベースバンド処理部１４と、電話制御部１２と、スピーカ６と、マイク９と、キーボード８と、表示部３と、バッテリ２１と、ブザー２３と、開閉検出部２０と、記憶回路２２とから構成される。
【００１８】
ＲＦ処理部１１は、受信信号をＲＦ処理し、復調して受信ベースバンド信号に変換する。また、送信用ベースバンド信号を変調して送信信号に変換しアンテナ１０に送信する。
【００１９】
ベースバンド処理部１４は、受信ベースバンド信号を複合化して音声信号を生成しスピーカ６に出力して音声を再生する。また、ＲＦ処理回路１１からの受信ベースバンド信号のうち、音声以外の画像、メール等のデータに関しては、電話制御部１２により読み出され、第１あるいは第２の表示部４、５や後述する記憶回路２２に出力される。またベースバンド処理部１４は、マイク９から入力された音声を符号化し、送信用ベースバンド信号を生成し、音声以外のデータは電話制御部１２から供給されて必要な処理を施し、ベースバンド処理部１４を経由してＲＦ処理部１１に出力する。
【００２０】
電話制御部１２は、上述の一連の送受信処理を含む携帯電話機全体の制御を行っている。記憶回路２２は、携帯電話機の動作、制御に必要なシステム、プログラム、データを記録している。
【００２１】
データ処理装置１３は電話制御部１２の中に配置されており、第１の検索手段１８、第２の検索手段１９を持つ。第１の検索手段１８は、発信者からの受信データの中に、画像表示用コマンドが含まれているか判別し、あった場合にはそのコマンドの指示する画像表示用データを第２の表示部５に表示させる制御を実行する機能である。
【００２２】
第２の検索手段１９は、第１の検索手段１８で、画像表示用コマンドが検索できない場合、そのデータ発信者の情報と受信端末にあるアドレス帳に該当者がいないかを検索し第２の表示部５に表示させる制御を実行する機能である。
【００２３】
また、開閉検出部２０は、背面液晶表示器として備え付けられている第２の表示部５に表示されている場合に、ユーザが筐体を開いて操作を行う時に、開状態を検出する。この開状態の検出が行われたとき、電話制御部１２は、第２の表示部５の表示を消し第１の表示部４に表示を切替える。
【００２４】
記憶回路２２は、受信データ記憶部１５、電話帳記憶部１６、画像記憶部１７を備えている。受信データ記憶部１５は、ベースバンド処理回路１４からの受信データを一次的に保存し、電話帳記憶部１６は、アドレス帳データとして、発信者の特定に使用され得る電話番号、メールアドレス、発信側アドレス情報等の発信側情報を予め記憶しており、画像記憶部１７は、携帯の壁紙などの画像データ、発信者の特定に使用され得る画像データを予め記憶している。
【００２５】
電話帳記憶部１６への電話番号、メールアドレスの記憶は、キーボード８の電話番号、メールアドレスの登録のための操作に基づき電話制御部１２の制御により行われる。また、画像記憶部１７は、受信データ記憶部１５に一次的に記憶されている画像データを、キーボード８の特定の操作による電話制御部１２の制御のもとに電話番号、アドレス情報、メールアドレスに対応させて記憶することができる。
【００２６】
なお、画像記憶部１７に記憶される画像データは、発信側からのメールに添付されている画像データでも、ｗｅｂから受信した画像データでも、あるいは本発明の実施の形態の折畳み型携帯電話機に接続される図示しないデータ端末から受信した画像データであってもよい。また発信側電話番号や発信側アドレス情報、発信側メールアドレス情報に対応する画像データも記憶される。また、その画像データの記憶は、着信時およびデータ受信時に限らず、待受け時にもキーボード８の特定の操作により、発信側電話番号や発信側アドレス情報、発信側メールアドレス情報ごとに記憶可能である。
【００２７】
次に、図１および図３を参照して本実施の形態の動作について詳細に説明する。
【００２８】
アンテナ１０で受信された受信データは、ＲＦ処理回路１１で復調された後、ベースバンド処理回路１４から電話制御部１２に与えられた音声以外の受信データは、受信データ記憶部１５に一時的に記憶され、第１の検索手段１８に供給される（Ｓ１）。第１の検索手段１８は、受信データ中に画像表示用コマンド（発信者を特定する目的の画像データ）が含まれているか否かを調べる。含まれていた場合、このコマンドは受信データ記憶部１５に一時的に保存されている受信データ中から対応する（画像表示用コマンドが指示する）画像データを探索し読み出し、表示を行う（Ｓ２）。
【００２９】
図２において、ステップＳ１で、受信データ中に画像表示用コマンド（発信者を特定する目的の画像データの存在を示すコマンド）が含まれていないと判断された場合には、受信データ中の発信者電話番号またはメールアドレスなどの発信側情報が第２の検索手段１９に与えられる（Ｓ３）。第２の検索手段１９は、その与えられた発信者電話番号またはメールアドレスなどの発信側情報を電話帳記憶部１６より探索し（Ｓ４）、該当データが電話帳記憶部１６に含まれ、かつその発信者に関連付けられた画像データが画像記憶部１７に記憶されている場合には（Ｓ５）、その画像の表示を行う。
【００３０】
ステップＳ４において発信者電話番号またはメールアドレスなどの発信側情報が電話帳記憶部１６には存在するが、ステップＳ５で該当する画像データが画像記憶部１７から検出されなかった場合には、第２の検索手段１９は検索不能と判断し、発信者情報に対応づけられたアドレス帳における氏名の表示を行う（Ｓ６）。
【００３１】
また、ステップＳ４において発信者電話番号またはメールアドレスなどの発信者情報が電話帳記憶部１６に存在しない場合、この発信者情報である電話番号、メールアドレスの表示を行う（Ｓ７）。
【００３２】
いずれにしても、画像表示を行う時、開閉検出部２０が筐体の開状態を検出している場合、電話制御部１２は読み出した画像データを折畳み型携帯電話機の閉じた状態での表示部にあたる背面部分に具備されている第２の表示部５に与える。一方、開状態で待ち受けをしていた時、あるいは着信、データ受信を確認した後、開状態にした時など、開閉検出部２０が筐体の開状態を検出している場合、電話制御部１２は読み出した画像データを開状態にした折畳み型携帯電話機の正面部にある第１の表示部に与える。
【００３３】
この時に、第２の表示部５の画像は表示し続けたり、節電のためにオフ設定をしてもよい。また、この開閉を検出する手段は、開閉を検知できるものであればなんでもよい。
【００３４】
本発明の実施例においては、画像表示について述べたが、動画、静止画などの映像の場合も同様に可能である。
【００３５】
また、他の実施例として、発信者特定用の画像データに限らない画像表示の場合もある。
【００３６】
コマンドがある場合、つまり発信側が表示用画像に加工を行える場合は、発信者が、単純に画像にメッセージの内容を盛り込むことで、簡単なメッセージを伝える、注意を促すことが可能であるが、画像データだけでなく、コマンド自体にも特定の指示を加えることで、画像表示に、文字情報を追加したり映像にするなど、更に簡単で多彩なメッセージを発信することが可能となる。
【００３７】
コマンドの加工には、発信側の好み、発呼やデータ送信の意図に応じて、画像、映像表示に加えて従来の文字情報による表示や、バックライトの色変更指示、点滅の指示を加えることも可能である。
【００３８】
たとえば、緊急呼び出しの場合には、発信者の顔写真、または呼び出し要請者の顔写真に加えて、バックライトを点滅させる、またこの緊急度が高ければ高いほど赤みの強いカラーのバックライト、もしくは点滅のスピードは加速されるなど、発信者仕様の受信側端末に対して画像変更を行うことができる。
【００３９】
このように、注意を促すためにコマンドにバックライトの発光色の変更、自動点滅の指示をさせるなど、発呼時、データ受信時に限らず、画像表示の変更を利用した情報、意思の伝達を行わせることが可能となる。
【００４０】
更に、その発呼時、データ送受信時の画像表示のみではなく、以後、継続してコマンドの指示する条件下で画像表示を行いたい場合も、コマンドの指示決定で可能である。この場合には、発信者が送る画像データに加える画像表示用コマンドに対して、この画像データを当発信者特定用に登録するように指示をすることで、受信側端末で自動的に、或いは簡単な操作によって発信者特定用画像として画像記憶部１７に記憶され、次回からはその該当発信者からの発呼に対しては、その画像表示を行う設定がなされる。
【００４１】
例えば、メールマガジン、メーリングリスト形式のメールを送信する場合に、オリジナルのマークなどの画像を送信しておくことで、次回から受信端末がそのメールを受信する時にはマークが自動的に表示させられることが可能となる。これにより、端末表示部でＣＣにあたる部分の表示が省略された場合でも、受信者側端末で、個人宛か、ＭＬ形式のメールであるかの確認も早く行える。
【００４２】
また、発信者側からの画像表示コマンドがない場合でも、受信側の端末で、発信者に対応した画像がある場合には、見やすく加工した画像を表示させることで、文字情報による表示よりも分かりやすく発信者情報を理解することができる。
【００４３】
この為に、小さな文字が見ずらい人にとっても使いやすい端末となる。
【００４４】
なお、この本発明の折畳み型携帯無線端末のコマンド操作は、受信側でもコマンド受信及び、その内容に応じて表示用画像を表示、及びその他の表示形式の加工が行える端末では、相手先端末に対してコマンドを作成、発呼、データの送受信時に、表示用画像データの添付を行うことも出来る端末である。
【００４５】
【発明の効果】
本発明の折畳み型携帯無線端末は、待ち受け状態で視認できる第２の表示部あるいは背面や閉じても見えない位置に設置される表示部に発信者が指定、または受信者が指定した画面を表示することにより、着信時、受信時における画像表示による利便性の向上を図る。特に発信者特有の画像を表示することにより、発信者の特定が容易に行える。また、この画像データには、発信者が選択した画像をデータ送信時に添付データとして送信し、表示を行う場合と、添付データがない時には、ユーザが設定した画像表示ができる場合の二通りに分かれる。よって、発信者が相手先に表示させたい画像がある場合には、画像表示用コマンドと表示用画像データを受信側の端末に応じて送信することで受信端末では容易に優先的に実行させることができる。
【００４６】
このように、本発明では、画像表示コマンドの指示に基づいて受信データ記憶部から、或いは、発信者情報より対応付けられた画像データを検索することで、着信時、データ受信時に背面表示部の画像を表示し、正面表示部より限られた表示部面積の中で、ユーザに対する情報伝達手段として背面表示部を有効に活用することができる。
【図面の簡単な説明】
【図１】本発明の実施の形態における折畳み型携帯電話機の回路系の構成のブロック図である。
【図２】本発明の実施の形態における折畳み型携帯電話機を示し、（ａ）は筐体を閉じた状態の側面図、（ｂ）は筐体を開いた状態での側面図、（ｃ）は筐体を開いた状態での正面図、（ｄ）は筐体を開いた状態での正面図である。
【図３】本発明の実施の形態において画像表示の動作を示すフローチャートである。
【符号の説明】
１　　携帯無線端末本体
２　　第１の筐体
３　　第２の筐体
４　　第１の表示部
５　　第２の表示部
６　　スピーカ
７　　ヒンジ
８　　キーボード
９　　マイク
１０　アンテナ
１１　ＲＦ処理部
１２　電話制御部
１３　データ処理装置
１４　ベースバンド処理部
１５　受信データ記憶部
１６　電話帳記憶部
１７　画像記憶部
１８　第１の検索手段
１９　第２の検索手段
２０　開閉検出部
２１　バッテリ
２２　記憶回路
２３　ブザー
【図１】
2004064295.tif 000003
【図２】
2004064295.tif 000004
【図３】
2004064295.tif 000005